(57)【要約】【課題】台形歪みに対して投射画像を歪み補正可能で、ＯＳＤを歪み補正できない場合にもスクリーンから欠けることなく表示可能な投射型表示装置、およびＯＳＤ表示方法を提供する。【解決手段】補正前の投射画像５０ａ上に表示されたＯＳＤ表示範囲５１ａに対し、投射画像５０ａ上の基準点５２ａの座標を取得する。次に、投射画像５０ｂの歪み補正で移動した基準点５２ｂの座標を取得する。次に、ｓ１およびｓ２で取得した５２ａと５２ｂの差をとりオフセット値を算出する。次に、ｓ３で得られたオフセット値に基づきＯＳＤ表示範囲５１ａをＯＳＤ表示範囲５１ｂへと移動する。【選択図】図３
2007193204.tif 000002
【特許請求の範囲】
【請求項１】
投射画像を所望の縦横比で変換、および台形歪み補正するスケーラーと、
前記スケーラーにより台形歪み補正される前の投射画像におけるＯＳＤ（ｏｎ−Ｓｃｒｅｅｎ  Ｄｉｓｐｌａｙ）表示位置の補正前基準点座標と、前記スケーラーより台形歪み補正される補正後基準点座標との差分を取ることにより得られる基準点オフセット値に基づいて、ＯＳＤ表示位置を移動させるＯＳＤメニュー生成部とを有することを特徴とする投射型表示装置。
【請求項２】
投射画像を所望の縦横比で変換、および台形歪み補正するスケーラーと、
前記スケーラーにより台形歪み補正後の投射画像の基準点オフセット値を取得し、ＯＳＤ表示位置を前記オフセット値に基づき移動するＯＳＤメニュー生成部
とを有することを特徴とする投射型表示装置。
【請求項３】
投射画像を所望の縦横比で変換、および台形歪み補正するスケーラーと、
前記スケーラーより台形歪み補正後の投射画像の表示可能範囲を取得し、ＯＳＤ表示範囲が前記投射画像の表示可能範囲内に収まるようにＯＳＤメニュー項目を予め登録されたメニュー優先順位に従い順次削除して表示するＯＳＤメニュー生成部とを有することを特徴とする投射型表示装置。
【請求項４】
前記スケーラーは前記ＯＳＤメニュー生成部の前段に配置されることを特徴とする請求項１から３のいずれかに記載の投射型表示装置。
【請求項５】
前記ＯＳＤメニュー生成部は、ＯＳＤ表示位置が前記台形歪み補正の影響を受けない場合は移動処理を行わないことを特徴とする請求項１または２のいずれかに記載の投射型表示装置。
【請求項６】
投射画像に表示されるＯＳＤの表示位置の補正前基準点座標を取得する第１の行程と、
スケーラーよる台形歪み補正に基づいて移動した補正後基準点座標を取得する第２の行程と、
前記補正前基準点と前記補正後基準点との差分を取ることによりオフセット値を取得する第３の行程と、
前記オフセット値に基づきＯＳＤ表示位置を移動する第４の行程とを有することを特徴とするＯＳＤ表示方法。
【請求項７】
スケーラーによる台形歪み補正後の投射画像より映像表示可能範囲を取得する第１の行程と、
ＯＳＤメニュー生成部内に記憶されたメニュー表示優先順位に従いＯＳＤよりＯＳＤメニューを削除する第２の行程と、
前記ＯＳＤの表示範囲を取得し、前記ＯＳＤの表示範囲が前記映像表示可能範囲内に収まっているか検証する第３の行程と、
前記第３の行程において映像表示可能範囲内に収まっている場合は、ＯＳＤを表示する第４の行程とを含み、
前記第３の行程において映像表示可能範囲内に収まっていない場合は、前記映像表示可能範囲内に収まるまで前記メニュー表示優先順位に従いＯＳＤよりさらにＯＳＤメニューを削除してＯＳＤを表示し、すべて削除した場合はＯＳＤを表示しないことを特徴とするＯＳＤ表示方法。
【発明の詳細な説明】
【技術分野】
【０００１】
本発明は、映像等をスクリーンに投射する投射型表示装置に関し、特にＯＳＤ（ｏｎ−Ｓｃｒｅｅｎ  Ｄｉｓｐｌａｙ）の表示方法に関する。
【背景技術】
【０００２】
投射型表示装置は本来、スクリーン上に長方形の画像を投射するように設計されているが、スクリーンの取り付け角度によっては台形に歪められて投射されることになる。このような問題を解決する手段として投射型表示装置は投射する画像に対して歪み補正を施し、投射画像を長方形に整える台形補正機能を一般的に有している。
【０００３】
また、投射画像とは別に、投射画像の明度、コントラスト、また入力映像のソース、および音量等を画面上で調整する手段としてＯＳＤが知られており、このＯＳＤについても同様に台形歪みが生じる。投射する画像のみ台形補正された場合、ＯＳＤが台形補正された投射する画像の枠からはみ出していれば、ＯＳＤがスクリーンから欠ける状況が生じる。これらの問題を解決する手段として、ＯＳＤに関しても同様に台形補正を行う投射型表示装置が知られている（例えば、特許文献１）。
【０００４】
この投射型表示装置によると、ＯＳＤと投射する画像が合成された後に歪み補正を施すため、スクリーンが正確に取り付けられない場合も、ＯＳＤ、投射画像ともに台形補正されたものをスクリーン上に投射することができる。
【特許文献１】特開２０００−３３０５０７号公報
【発明の開示】
【発明が解決しようとする課題】
【０００５】
しかし、従来の投射型表示装置によると、ＯＳＤと投射する画像が合成された後の段階で歪み補正を施す必要があり、ＯＳＤに歪み補正を行えない装置設計が必要な場合においてはＯＳＤの欠落、および難読が生じるという問題がある。
【０００６】
従って、本発明の目的は、台形歪みに対して投射画像を歪み補正可能で、ＯＳＤを歪み補正できない場合にもスクリーンから欠けることなく表示可能な投射型表示装置、およびＯＳＤ表示方法を提供することにある。
【課題を解決するための手段】
【０００７】
（１）本発明は上記目的を達成するため、投射画像を所望の縦横比で変換、および台形歪み補正するスケーラーと、前記スケーラーにより台形歪み補正される前の投射画像におけるＯＳＤ表示位置の補正前基準点座標と、前記スケーラーより台形歪み補正される補正後基準点座標との差分を取ることにより得られる基準点オフセット値に基づいて、ＯＳＤ表示位置を移動させるＯＳＤメニュー生成部とを有することを特徴とする投射型表示装置を提供する。
【０００８】
このような構成によれば、台形補正前と台形補正後の基準点のオフセット値を取得することによりＯＳＤを適正な位置で表示可能なため、ＯＳＤに対し歪み補正できない場合にも、ＯＳＤが投射画像の外へ欠けて表示されることがなくなる。
【０００９】
（２）本発明は上記目的を達成するため、投射画像を所望の縦横比で変換、および台形歪み補正するスケーラーと、前記スケーラーにより台形歪み補正後の投射画像の基準点オフセット値を取得し、ＯＳＤ表示位置を前記オフセット値に基づき移動するＯＳＤメニュー生成部とを有することを特徴とする投射型表示装置を提供する。
【００１０】
このような構成によれば、台形補正による基準点のオフセット値を取得することによりＯＳＤを適正な位置で表示可能なため、ＯＳＤに対し歪み補正できない場合にも、ＯＳＤが投射画像の外へ欠けて表示されることがなくなる。
【００１１】
（３）本発明は上記目的を達成するため、投射画像を所望の縦横比で変換、および台形歪み補正するスケーラーと、前記スケーラーより台形歪み補正後の投射画像の表示可能範囲を取得し、ＯＳＤ表示範囲が前記投射画像の表示可能範囲内に収まるようにＯＳＤメニュー項目を予め登録されたメニュー優先順位に従い順次削除して表示するＯＳＤメニュー生成部とを有することを特徴とする投射型表示装置を提供する。
【００１２】
このような構成によれば、台形補正後の投射画像表示可能範囲に対しＯＳＤ表示可能範囲が収まるかどうかを検証し、収まらない場合はＯＳＤの表示を縮小するため、ＯＳＤに対し歪み補正できない場合にも、ＯＳＤが投射画像の外へ欠けて表示されることがなくなる。
【００１３】
（４）本発明は上記目的を達成するため、投射画像に表示されるＯＳＤの表示位置の補正前基準点座標を取得する第１の行程と、スケーラーよる台形歪み補正に基づいて移動した補正後基準点座標を取得する第２の行程と、前記補正前基準点と前記補正後基準点との差分を取ることによりオフセット値を取得する第３の行程と、前記オフセット値に基づきＯＳＤ表示位置を移動する第４の行程とを有することを特徴とするＯＳＤ表示方法を提供する。
【００１４】
このような方法によれば、（１）における効果を有するＯＳＤ表示方法が可能となる。
【００１５】
（５）本発明は上記目的を達成するため、スケーラーによる台形歪み補正後の投射画像より映像表示可能範囲を取得する第１の行程と、ＯＳＤメニュー生成部内に記憶されたメニュー表示優先順位に従いＯＳＤよりＯＳＤメニューを削除する第２の行程と、前記ＯＳＤの表示範囲を取得し、前記ＯＳＤの表示範囲が前記映像表示可能範囲内に収まっているか検証する第３の行程と、前記第３の行程において映像表示可能範囲内に収まっている場合は、ＯＳＤを表示する第４の行程とを含み、前記第３の行程において映像表示可能範囲内に収まっていない場合は、前記映像表示可能範囲内に収まるまで前記メニュー表示優先順位に従いＯＳＤよりさらにＯＳＤメニューを削除してＯＳＤを表示し、すべて削除した場合はＯＳＤを表示しないことを特徴とするＯＳＤ表示方法を提供する。
【００１６】
このような方法によれば、（３）における効果を有するＯＳＤ表示方法が可能となる。
【発明の効果】
【００１７】
本発明によれば、台形歪みに対して投射画像を歪み補正可能で、ＯＳＤを歪み補正できない場合にもスクリーンから欠けることなく表示可能な投射型表示装置、およびＯＳＤ表示方法が可能となる。
【発明を実施するための最良の形態】
【００１８】
以下に、本発明の投射型表示装置、およびＯＳＤ表示方法の実施の形態を図面を参考にして詳細に説明する。
【００１９】
〔第１の実施の形態）
（投射型表示装置の構成）
図１は、本発明の第１の実施の形態に係る電子機器としての投射型表示装置の概略構成図である。
【００２０】
この投射型表示装置１００は、主に画像処理や音声処理を行う電子部品、およびレンズ群よりなる光学系等から構成される本体１０と、ＯＳＤ操作および入力切替等を行うための操作スイッチ１１と、スクリーンに投射される画像の拡大縮小、およびピントを調整するズームレバー１２と、ズームレバー１２に連動してレンズ群の配置を変えスクリーンに向けて画像を投射する投射レンズ１３とを有する。
【００２１】
図２は、本発明の第１の実施の形態に関する投射型表示装置の概略構成図である。
【００２２】
この投射型表示装置１００は、入力されたアナログの映像情報をデジタルに変換するＡ／Ｄ変換部１と、Ａ／Ｄ変換部１からの信号を所望の縦横スケールに変換し、同時に台形歪みを補正するスケーラー２と、所望のＯＳＤメニューを生成するＯＳＤメニュー生成部３と、スケーラー２とＯＳＤメニュー生成部３の出力を合成する合成部４と、合成部４の出力を変換し、投射レンズ１３より投射可能な光源映像にして出力する投射部５と、スケーラー２、ＯＳＤメニュー生成部３、合成部４、および投射部５を制御し操作スイッチ１１により操作可能な制御部６とを有する。
【００２３】
（投射型表示装置の動作）
以下に、本発明の第１の実施の形態における投射型表示装置の動作を図１から図４を参照しつつ説明する。
【００２４】
図３（ａ）は、本発明の第１の実施の形態に関する投射型表示装置の投射画像である。図３（ｂ）は、ＯＳＤ補正した投射画像である。
【００２５】
図４は、本発明の第１の実施の形態に関する投射型表示装置のＯＳＤ補正の手順を示すフローチャートである。
【００２６】
まず、制御部６は、図３（ａ）に示すように、補正前の投射画像５０ａ上に表示されたＯＳＤ表示範囲５１ａに対し、投射画像５０ａ上の基準点５２ａの座標を取得する（ｓ１）。次に、図３（ｂ）に示すように、投射画像５０ｂの歪み補正で移動した基準点５２ｂの座標を取得する（ｓ２）。次に、ｓ１およびｓ２で取得した５２ａと５２ｂの差をとりオフセット値を算出する（ｓ３）。次に、ｓ３で得られたオフセット値に基づきＯＳＤ表示範囲５１ａをＯＳＤ表示範囲５１ｂへと移動する（ｓ４）。
【００２７】
なお、ここで投射画像５０ａ、および投射画像５０ｂとは、図示しないスクリーンが正しく設置されている状態で投射レンズ１３から画像を投射した場合に表示されるもののことを指す。
【００２８】
（第１の実施の形態の効果）
上記した実施の形態によると、スケーラーのワンチップ化等、装置構成上の問題でＯＳＤに対し歪み補正できない場合にもＯＳＤを適正な位置で表示可能で、投射画像５０ｂの外へ欠けて表示されることがなくなる。
【００２９】
〔第２の実施の形態〕
図５（ａ）は、本発明の第２の実施の形態に関する投射型表示装置の投射画像である。図５（ｂ）は、ＯＳＤ補正した投射画像である。
なお、以下の説明において、第１の実施の形態と同一の構成および機能を有する部分については共通の符号を付している。
【００３０】
図６は、本発明の第２の実施の形態に関する投射型表示装置のＯＳＤ補正の手順を示すフローチャートである。
【００３１】
図５（ａ）に示すように投射画像５０ａ上に垂直方向にメニューの並んだＯＳＤ表示範囲５３ａがある場合、図５（ｂ）に示すように歪み補正されて投射画像５０ｂが形成されるとＯＳＤ表示範囲５３ａは表示範囲より欠落する。まず、制御部６は、投射画像５０ｂの映像表示可能範囲を取得する（ｓ１１）。次に、ＯＳＤメニュー生成部３に予め登録されたメニュー表示優先順位に従い、優先順位の低いメニューに対し削除フラグを立てる。削除フラグの立てられたメニューを削除し、ＯＳＤ表示範囲５３ｂの表示範囲を算出し、取得する（ｓ１２）。次に、ｓ１２で取得したＯＳＤ表示範囲５３ｂの表示範囲が投射画像５０ｂの表示可能範囲内にあるかどうか検証する（ｓ１３）。次に、ＯＳＤ表示範囲５３ｂが投射画像５０ｂの表示可能範囲内にある場合（ｓ１３ｙ）、削除フラグの立ってない項目だけでメニューを表示する（ｓ１４）。また、ＯＳＤ表示範囲５３ｂが投射画像５０ｂの表示可能範囲内にない場合（ｓ１３ｎ）、
メニュー表示優先順位の低いメニューに新たに削除フラグを立てる（ｓ１５）。次に、ｓ１５の処理によりすべてのメニューに削除フラグが立っている場合（ｓ１６y）、メニューを表示せず処理を終了する。また、ｓ１５の処理によりすべてのメニューに削除フラグが立っていない場合（ｓ１６ｎ）、ｓ１２に戻り処理を行う。
【００３２】
図７は、本発明の第２の実施の形態に関する投射型表示装置のＯＳＤ表示形態を示す概略図である。
【００３３】
図７（ａ）は、投射画像５０ａに対して中央に配置されるメッセージ５５ａとしてのＯＳＤで、（ｂ）は、投射画像５０ａに対して右上に配置されるアイコン５５ｂとしてのＯＳＤ、（ｃ）は、投射画像５０ａに対して右上より垂直方向、および各メニューより水平方向に伸びて配置されるメニュー５５ｃとしてのＯＳＤ、（ｄ）は、投射画像５０ａに対して下側に配置されるボリューム５５ｄとしてのＯＳＤである。
【００３４】
台形補正が、図５（ｂ）のように投射画像５０ａの下部を収縮して行われる場合、図７（ｂ）に示すアイコン５５ｂのように上方に位置するＯＳＤに関してはほぼ台形補正に基づく投射画像５０ｂの表示可能範囲とは無関係に表示可能なためＯＳＤ補正を行わない。また、図５（ｂ）とは逆に投射画像５０ａの上方を収縮して行われる場合は、図７（ｄ）に示すボリューム５５ｄのように下方に位置するＯＳＤに関してはＯＳＤ補正を行わない。
【００３５】
（第２の実施の形態の効果）
上記した実施の形態によると、ＯＳＤに対し歪み補正できない場合にもＯＳＤを適正な位置で表示可能で、投射画像５０ｂの外へ欠けて表示されることがなくなる。
【００３６】
また、台形補正に影響を受けないＯＳＤに対しＯＳＤ補正を行わないことで処理速度を向上させることができるようになる。
【００３７】
なお、本実施の形態においては垂直方向に並んだメニュー項目について書いたが、水平方向に並んだメニュー項目においても同様の操作を行うものとする。
【図面の簡単な説明】
【００３８】
【図１】本発明の第１の実施の形態に係る電子機器としての投射型表示装置の概略構成図である。
【図２】本発明の第１の実施の形態に関する投射型表示装置の概略構成図である。
【図３】（ａ）は、本発明の第１の実施の形態に関する投射型表示装置の投射画像である。（ｂ）は、ＯＳＤ補正した投射画像である。
【図４】本発明の第１の実施の形態に関する投射型表示装置のＯＳＤ補正の手順を示すフローチャートである。
【図５】（ａ）は、本発明の第２の実施の形態に関する投射型表示装置の投射画像である。（ｂ）は、ＯＳＤ補正した投射画像である。
【図６】本発明の第２の実施の形態に関する投射型表示装置のＯＳＤ補正の手順を示すフローチャートである。
【図７】本発明の第２の実施の形態に関する投射型表示装置のＯＳＤ表示形態を示す概略図である。
【符号の説明】
【００３９】
１…変換部、２…スケーラー、３…メニュー生成部、４…合成部、５…投射部、６…制御部、１０…本体、１１…操作スイッチ、１２…ズームレバー、１３…投射レンズ、５０ａ…投射画像、５０ｂ…投射画像、５１ａ…表示範囲、５１ｂ…表示範囲、５２ａ…基準点、５２ｂ…基準点、５３ａ…表示範囲、５３ｂ…表示範囲、５５ａ…メッセージ、５５ｂ…アイコン、５５ｃ…メニュー、５５ｄ…ボリューム、１００…投射型表示装置
【図１】
2007193204.tif 000003
【図２】
2007193204.tif 000004
【図３】
2007193204.tif 000005
【図４】
2007193204.tif 000006
【図５】
2007193204.tif 000007
【図６】
2007193204.tif 000008
【図７】
2007193204.tif 000009